(57)【特許請求の範囲】
【請求項１】
データ送信装置であって、
キャリアリストを第１サービングセルの第１ネットワークデバイスに送信するように構成された送信モジュールであって、
前記キャリアリストが、前記装置が関心のあるキャリア情報を搬送し、前記キャリア情報が、周波数情報である、送信モジュールと、
前記第１サービングセルの前記第１ネットワークデバイスから特定のスケジューリング情報を受信するように構成された受信モジュールであって、
前記特定のスケジューリング情報が、第２サービングセルのサービングセル識別子、前記第２サービングセルにおける利用可能なデバイスツーデバイス（Ｄ２Ｄ）伝送リソース、及び前記第２サービングセルにおける伝送モードを搬送し、前記伝送モードが、Ｄ２Ｄディスカバリモードである、受信モジュールと、
前記第２サービングセルの前記サービングセル識別子に基づいて、前記第２サービングセルの第２ネットワークデバイスとのセル同期を実行するように構成された同期モジュールとを備え、
前記送信モジュールが、前記特定のスケジューリング情報に従って、前記第２サービングセルにおける前記利用可能なＤ２Ｄ伝送リソース上でＤ２Ｄデータを送信するように更に構成される、装置。
【請求項２】
前記受信モジュールが、前記第１サービングセルの前記第１ネットワークデバイスから無線リソース制御（ＲＲＣ）制御情報を受信するように構成され、前記ＲＲＣ制御情報が前記特定のスケジューリング情報を搬送するか、又は前記受信モジュールが、前記第１サービングセルの前記第１ネットワークデバイスからシステムブロードキャスト情報を受信するように構成され、前記システムブロードキャスト情報が前記特定のスケジューリング情報を搬送する、請求項１に記載の装置。
【請求項３】
前記第２サービングセルにおける前記利用可能なＤ２Ｄ伝送リソースが、動的サービスデータ伝送リソース、半静的サービスデータ伝送リソース、又はサービスデータ伝送リソースプールのうちの少なくとも１つを含む、請求項１又は請求項２に記載の装置。
【請求項４】
データ送信方法であって、
キャリアリストを第１サービングセルの第１ネットワークデバイスに送信するステップであって、前記キャリアリストが、端末が関心のあるキャリア情報を搬送し、前記キャリア情報が、周波数情報である、送信するステップと、
前記第１サービングセルの前記第１ネットワークデバイスから特定のスケジューリング情報を受信するステップであって、前記特定のスケジューリング情報が、第２サービングセルのサービングセル識別子、前記第２サービングセルにおける利用可能なデバイスツーデバイス（Ｄ２Ｄ）伝送リソース、及び前記第２サービングセルにおける伝送モードを搬送し、前記伝送モードが、Ｄ２Ｄディスカバリモードである、受信するステップと、
前記第２サービングセルの前記サービングセル識別子に基づいて、前記第２サービングセルの第２ネットワークデバイスとのセル同期を実行するステップと、
前記特定のスケジューリング情報に従って、前記第２サービングセルにおける前記利用可能なＤ２Ｄ伝送リソース上でＤ２Ｄデータを送信するステップとを含む、方法。
【請求項５】
第１サービングセルの前記第１ネットワークデバイスから特定のスケジューリング情報を受信する前記ステップが、
前記第１サービングセルの前記第１ネットワークデバイスから無線リソース制御（ＲＲＣ）制御情報を受信するステップであって、前記ＲＲＣ制御情報が前記特定のスケジューリング情報を搬送する、受信するステップか、又は
前記第１サービングセルの前記第１ネットワークデバイスからシステムブロードキャスト情報を受信するステップであって、前記システムブロードキャスト情報が前記特定のスケジューリング情報を搬送する、受信するステップを含む、請求項４に記載の方法。
【請求項６】
前記第２サービングセルにおける前記利用可能なＤ２Ｄ伝送リソースが、動的サービスデータ伝送リソース、半静的サービスデータ伝送リソース、又はサービスデータ伝送リソースプールのうちの少なくとも１つを含む、請求項４又は請求項５に記載の方法。
【請求項７】
リソーススケジューリング装置であって、
ユーザ装置からキャリアリストを受信するように構成された受信モジュールであって、前記キャリアリストが、前記ユーザ装置が関心のあるキャリア情報を搬送し、前記キャリア情報が、周波数情報である、受信モジュールと、
前記キャリアリストに従って第２サービングセルを取得するように構成された取得モジュールと、
第２サービングセルのサービングセル識別子、及び前記第２サービングセルにおける利用可能なデバイスツーデバイス（Ｄ２Ｄ）伝送リソースに従って、特定のスケジューリング情報を生成するように構成された生成モジュールであって、
前記特定のスケジューリング情報が、前記第２サービングセルの前記サービングセル識別子、前記第２サービングセルにおける前記利用可能なＤ２Ｄ伝送リソース、及び前記第２サービングセルにおける伝送モードを搬送し、前記伝送モードが、Ｄ２Ｄディスカバリモードである、生成モジュールと、
前記特定のスケジューリング情報を、第１サービングセルのカバレッジ内の前記ユーザ装置に送信するように構成された送信モジュールとを備え、前記第２サービングセルにおける前記利用可能なＤ２Ｄ伝送リソースが、Ｄ２Ｄデータを伝送するために使用される、装置。
【請求項８】
前記送信モジュールが、無線リソース制御（ＲＲＣ）制御情報を前記ユーザ装置に送信するように構成され、前記ＲＲＣ制御情報が前記特定のスケジューリング情報を搬送するか、又は
前記送信モジュールが、システムブロードキャスト情報を前記ユーザ装置に送信するように構成され、前記システムブロードキャスト情報が前記特定のスケジューリング情報を搬送する、請求項７に記載の装置。
【請求項９】
前記第２サービングセルにおける前記利用可能なＤ２Ｄ伝送リソースが、動的サービスデータ伝送リソース、半静的サービスデータ伝送リソース、又はサービスデータ伝送リソースプールのうちの少なくとも１つを含む、請求項７又は請求項８に記載の装置。
【請求項１０】
リソーススケジューリング方法であって、
ユーザ装置からキャリアリストを受信するステップであって、前記キャリアリストが、前記ユーザ装置が関心のあるキャリア情報を搬送し、前記キャリア情報が、周波数情報である、受信するステップと、
前記キャリアリストに従って第２サービングセルを取得するステップと、
第２サービングセルのサービングセル識別子、及び前記第２サービングセルにおける利用可能なデバイスツーデバイス（Ｄ２Ｄ）伝送リソースに従って、特定のスケジューリング情報を生成するステップであって、前記特定のスケジューリング情報が、前記第２サービングセルの前記サービングセル識別子、前記第２サービングセルにおける前記利用可能なＤ２Ｄ伝送リソース、及び前記第２サービングセルにおける伝送モードを搬送し、前記伝送モードが、Ｄ２Ｄディスカバリモードである、生成するステップと、
前記特定のスケジューリング情報を、第１サービングセルのカバレッジ内のユーザ装置に送信するステップとを含み、前記第２サービングセルにおける前記利用可能なＤ２Ｄ伝送リソースが、Ｄ２Ｄデータを伝送するために使用される、方法。
【請求項１１】
前記特定のスケジューリング情報をユーザ装置に送信する前記ステップが、
無線リソース制御（ＲＲＣ）制御情報を前記ユーザ装置に送信するステップであって、前記ＲＲＣ制御情報が前記特定のスケジューリング情報を搬送する、送信するステップか、又は
システムブロードキャスト情報を前記ユーザ装置に送信するステップであって、前記システムブロードキャスト情報が前記特定のスケジューリング情報を搬送する、送信するステップを含む、請求項１０に記載の方法。
【請求項１２】
前記第２サービングセルにおける前記利用可能なＤ２Ｄ伝送リソースが、動的サービスデータ伝送リソース、半静的サービスデータ伝送リソース、又はサービスデータ伝送リソースプールのうちの少なくとも１つを含む、請求項１０又は請求項１１に記載の方法。
【請求項１３】
キャリアリストを第１サービングセルの第１ネットワークデバイスに送信するように構成された送信機であって、前記キャリアリストが、装置が関心のあるキャリア情報を搬送し、前記キャリア情報が、周波数情報である、送信機と、
前記第１サービングセルの前記第１ネットワークデバイスから特定のスケジューリング情報を受信するように構成された受信機であって、前記特定のスケジューリング情報が、第２サービングセルのサービングセル識別子、前記第２サービングセルにおける利用可能なデバイスツーデバイス（Ｄ２Ｄ）伝送リソース、及び前記第２サービングセルにおける伝送モードを搬送し、前記伝送モードが、Ｄ２Ｄディスカバリモードである、受信機と、
前記第２サービングセルの前記サービングセル識別子に基づいて、前記第２サービングセルの第２ネットワークデバイスとのセル同期を実行するように構成されたプロセッサとを備え、
前記送信機が、前記特定のスケジューリング情報に従って、前記第２サービングセルにおける前記利用可能なＤ２Ｄ伝送リソース上でＤ２Ｄデータを送信するように更に構成される、装置。
【請求項１４】
ユーザ装置からキャリアリストを受信するように構成された受信機であって、前記キャリアリストが、前記ユーザ装置が関心のあるキャリア情報を搬送し、前記キャリア情報が、周波数情報である、受信機と、
前記キャリアリストに従って第２サービングセルを取得し、前記第２サービングセルのサービングセル識別子、及び前記第２サービングセルにおける利用可能なデバイスツーデバイス（Ｄ２Ｄ）伝送リソースに従って、特定のスケジューリング情報を生成するように構成されたプロセッサであって、
前記特定のスケジューリング情報が、前記第２サービングセルの前記サービングセル識別子、前記第２サービングセルにおける前記利用可能なＤ２Ｄ伝送リソース、及び前記第２サービングセルにおける伝送モードを搬送し、前記伝送モードが、Ｄ２Ｄディスカバリモードである、プロセッサと、
前記特定のスケジューリング情報を、第１サービングセルのカバレッジ内のユーザ装置に送信するように構成された送信機とを備え、前記第２サービングセルにおける前記利用可能なＤ２Ｄ伝送リソースが、Ｄ２Ｄデータを伝送するために使用される、装置。
【請求項１５】
コンピュータによって実行されると請求項４から請求項６及び請求項１０から請求項１２のいずれか一項に記載の方法のステップを前記コンピュータに実行させる命令を含むコンピュータ読み取り可能な媒体。
【発明の詳細な説明】
【技術分野】
【０００１】
本発明は、車両のインターネットの分野に関し、特に、データ送信方法及び装置に関する。
【背景技術】
【０００２】
車両のインターネット（Internet  of  Vehicles、ＩｏＶ）は、インターネット技術とモノのインターネット技術の組み合わせに基づいて、大量のソフトウェア技術と大量の情報サービスコンテンツを統合する、新しいタイプの管理及びサービスネットワークである。
【０００３】
車両のインターネットでは、車両の安全な運転を保証するために、道路上の異なる車両が何らかのデータを、お互いに交換する必要がある。このようなデータを処理することにより、車両は、道路状況や他の車両の状況、例えば前方の車両事故を知ることができ、あるいは事故が起こりそうであると予測することさえでき、運転者に警報を発し、その結果、運転者は、運転方針を変更する。このような車両間の通信は、通常、Ｄ２Ｄ（デバイスツーデバイス、device  to  device）技術を使用することにより、実施されることができる。Ｄ２Ｄ技術は、車両が、基地局によって提供されるデータ伝送リソース（すなわち、キャリア）上で、お互いに直接通信を実行することを可能にする。車両のインターネットの発展に伴い、車両には、通信に対するますます高い要求が課せられている。システム容量を増加させるために、ＵＥは、複数の無線トランシーバを装備してもよい。このようにして、ＵＥは、複数のキャリア上で通信を行うことができる。
【０００４】
しかしながら、ＵＥは複数のキャリア上での通信をサポートしているが、現在の基地局は、別のキャリア上でＤ２Ｄ直接通信を実行するようにＵＥをスケジューリングすることができず、スペクトルリソースの浪費とシステム容量の減少につながる。
【発明の概要】
【０００５】
スペクトルリソースの浪費を避けるために、本発明の実施例は、データ送信方法及び装置を提供する。技術的解決策は下記の通りである。
【０００６】
第１の態様によれば、本発明の一実施例は、データ送信装置であって、第１サービングセルによって送信された特定のスケジューリング情報を受信するように構成された受信モジュールであって、前記特定のスケジューリング情報が、少なくとも第２サービングセル識別子、及び第２サービングセルにおける利用可能なデバイスツーデバイスＤ２Ｄ伝送リソースを搬送する、受信モジュールと、前記第２サービングセル識別子に基づいて、前記第２サービングセルとのセル同期を実行するように構成された同期モジュールと、前記特定のスケジューリング情報に従って、前記第２サービングセルにおける前記利用可能なＤ２Ｄ伝送リソース上でデバイスツーデバイスＤ２Ｄデータを送信するように構成された送信モジュールとを含む、装置を提供する。
【０００７】
第１の態様に関連して、本発明のこの実施例で提供される第１の可能な実施方法において、前記受信モジュールは、前記第１サービングセルによって送信されたＲＲＣ制御情報を受信するように構成され、前記ＲＲＣ制御情報は前記特定のスケジューリング情報を搬送するか、又は前記受信モジュールは、前記第１サービングセルによって送信されたＰＤＣＣＨスケジューリング情報を受信するように構成され、前記ＰＤＣＣＨスケジューリング情報は前記特定のスケジューリング情報を搬送するか、又は前記受信モジュールは、前記第１サービングセルによって送信されたシステムブロードキャスト情報を受信するように構成され、前記システムブロードキャスト情報は前記特定のスケジューリング情報を搬送する。
【０００８】
第１の態様の第１の可能な実施方法に関連して、本発明のこの実施例で提供される第２の可能な実施方法において、前記特定のスケジューリング情報は、前記第２サービングセルにおける伝送モードを更に搬送し、前記伝送モードは、Ｄ２Ｄディスカバリモード又はＤ２Ｄ通信モードである。
【０００９】
第１の態様の第２の可能な実施方法に関連して、本発明のこの実施例で提供される第３の可能な実施方法において、前記送信モジュールは、前記特定のスケジューリング情報において搬送された、前記第２サービングセルにおける前記伝送モードを使用することにより、前記第２サービングセルにおける前記利用可能なＤ２Ｄ伝送リソース上でデバイスツーデバイスＤ２Ｄデータを送信するように構成される。
【００１０】
前述の可能な実施方法のいずれか１つに関連して、本発明のこの実施例で提供される第４の可能な実施方法において、前記第２サービングセルにおける前記利用可能なＤ２Ｄ伝送リソースは、動的サービスデータ伝送リソース、半静的サービスデータ伝送リソース、及びサービスデータ伝送リソースプールのうちの少なくとも１つを含む。
【００１１】
前述の可能な実施方法のいずれか１つに関連して、本発明のこの実施例で提供される第５の可能な実施方法において、前記特定のスケジューリング情報は、データ伝送に使用される変調及び符号化方式を更に含む。
【００１２】
第１の態様の第５の可能な実施方法に関連して、本発明のこの実施例で提供される第６の可能な実施方法において、当該装置は、前記変調及び符号化方式を使用することにより、伝送されるべきサービスデータに対して変調及び符号化を実行して前記Ｄ２Ｄデータを獲得するように構成された変調及び符号化モジュールを更に含む。
【００１３】
前述の可能な実施方法のいずれか１つに関連して、本発明のこの実施例で提供される第７の可能な実施方法において、前記第２サービングセルにおける伝送モードがＤ２Ｄ通信モードである場合に、前記第２サービングセルにおける前記利用可能なＤ２Ｄ伝送リソースは、利用可能なＳＡリソース、及び利用可能なサービスデータ伝送リソースのうちの少なくとも１つを含む。
【００１４】
第１の態様の第７の可能な実施方法に関連して、本発明のこの実施例で提供される第８の可能な実施方法において、前記利用可能なＳＡリソースは、動的ＳＡデータ伝送リソース、半静的ＳＡデータ伝送リソース、及びＳＡデータ伝送リソースプールのうちの少なくとも１つを含み、前記利用可能なサービスデータ伝送リソースは、動的サービスデータ伝送リソース、半静的サービスデータ伝送リソース、及びサービスデータ伝送リソースプールのうちの少なくとも１つを含む。
【００１５】
前述の可能な実施方法のいずれか１つに関連して、本発明のこの実施例で提供される第９の可能な実施方法において、前記第２サービングセルにおける伝送モードがＤ２Ｄ通信モードである場合に、前記Ｄ２Ｄデータは、ＳＡ情報、及びサービスデータのうちの少なくとも１つである。
【００１６】
第１の態様の第９の可能な実施方法に関連して、本発明のこの実施例で提供される第１０の可能な実施方法において、前記送信モジュールは、前記特定のスケジューリング情報が、前記第２サービングセル識別子、前記第１サービングセルにおける利用可能なサービスデータ伝送リソース、及び前記第２サービングセルにおける利用可能なＳＡリソースを搬送する場合に、前記第２サービングセルにおける前記利用可能なＳＡリソース上で前記ＳＡ情報を送信するとともに、前記第１サービングセルにおける前記利用可能なサービスデータ伝送リソース上で前記サービスデータを送信するように構成され、前記ＳＡ情報は、前記第１サービングセルにおける前記利用可能なサービスデータ伝送リソース、並びに変調及び符号化方式を示すために使用される。
【００１７】
第１の態様の第９の可能な実施方法に関連して、本発明のこの実施例で提供される第１１の可能な実施方法において、前記送信モジュールは、前記特定のスケジューリング情報が、前記第２サービングセル識別子、前記第１サービングセルにおける利用可能なＳＡリソース、及び前記第２サービングセルにおける利用可能なサービスデータ伝送リソースを搬送する場合に、前記第１サービングセルにおける前記利用可能なＳＡリソース上で前記ＳＡ情報を送信するとともに、前記第２サービングセルにおける前記利用可能なサービスデータ伝送リソース上で前記サービスデータを送信するように構成され、前記ＳＡ情報は、前記第２サービングセルにおける前記利用可能なサービスデータ伝送リソース、並びに変調及び符号化方式を示すために使用される。
【００１８】
第１の態様の第９の可能な実施方法に関連して、本発明のこの実施例で提供される第１２の可能な実施方法において、前記送信モジュールは、前記特定のスケジューリング情報が、前記第２サービングセル識別子、前記第２サービングセルにおける利用可能なＳＡリソース、及び前記第２サービングセルにおける利用可能なサービスデータ伝送リソースを搬送する場合に、前記第２サービングセルにおける前記利用可能なＳＡリソース上で前記ＳＡ情報を送信するとともに、前記第２サービングセルにおける前記利用可能なサービスデータ伝送リソース上で前記サービスデータを送信するように構成され、前記ＳＡ情報は、前記第２サービングセルにおける前記利用可能なサービスデータ伝送リソース、並びに変調及び符号化方式を示すために使用される。
【００１９】
前述の可能な実施方法のいずれか１つに関連して、本発明のこの実施例で提供される第１３の可能な実施方法において、前記送信モジュールは、キャリアリストを前記第１サービングセルに送信するように更に構成され、前記第１サービングセルが前記キャリアリストに従って前記第２サービングセルを取得するように、前記キャリアリストは、現在の端末が関心のあるキャリア情報を搬送し、前記キャリア情報は、周波数情報、又は周波数上のセルセット情報である。
【００２０】
第１の態様の第１３の可能な実施方法に関連して、本発明のこの実施例で提供される第１４の可能な実施方法において、前記キャリアリストは、前記周波数の信号測定報告、又はセルセットの信号測定報告を更に搬送する。
【００２１】
前述の可能な実施方法のいずれか１つに関連して、本発明のこの実施例で提供される第１５の可能な実施方法において、当該装置は、接続処理モジュールを更に含み、前記接続処理モジュールは、前記第２サービングセルにおける前記利用可能なＤ２Ｄ伝送リソースが動的伝送リソースである場合に、前記第１サービングセルとの接続状態を維持するように構成されるか、又は前記接続処理モジュールは、前記第２サービングセルにおける前記利用可能なＤ２Ｄ伝送リソースが半静的伝送リソース又は伝送リソースプールである場合に、前記第１サービングセルとの接続状態を維持するように構成されるか、又は前記接続処理モジュールは、前記第２サービングセルにおける前記利用可能なＤ２Ｄ伝送リソースが半静的伝送リソース又は伝送リソースプールである場合に、前記第１サービングセルとのアイドル状態を維持するように構成されるか、又は前記接続処理モジュールは、前記第２サービングセルにおける前記利用可能なＤ２Ｄ伝送リソースが半静的伝送リソース又は伝送リソースプールである場合に、前記第２サービングセルとの接続状態を維持するように構成されるか、又は前記接続処理モジュールは、前記第２サービングセルにおける前記利用可能なＤ２Ｄ伝送リソースが半静的伝送リソース又は伝送リソースプールである場合に、前記第２サービングセルとのアイドル状態を維持するように構成される。
【００２２】
前述の可能な実施方法のいずれか１つに関連して、本発明のこの実施例で提供される第１６の可能な実施方法において、前記第１サービングセルは、前記第２サービングセル以外のプライマリサービングセル又はセカンダリサービングセルである。
【００２３】
第２の態様によれば、本発明の一実施例は、データ送信方法であって、第１サービングセルによって送信された特定のスケジューリング情報を受信するステップであって、前記特定のスケジューリング情報が、少なくとも第２サービングセル識別子、及び第２サービングセルにおける利用可能なデバイスツーデバイスＤ２Ｄ伝送リソースを搬送する、受信するステップと、前記第２サービングセル識別子に基づいて、前記第２サービングセルとのセル同期を実行するステップと、前記特定のスケジューリング情報に従って、前記第２サービングセルにおける前記利用可能なＤ２Ｄ伝送リソース上でデバイスツーデバイスＤ２Ｄデータを送信するステップとを含む、方法を提供する。
【００２４】
第２の態様に関連して、本発明のこの実施例で提供される第１の可能な実施方法において、第１サービングセルによって送信された特定のスケジューリング情報を受信する前記ステップは、前記第１サービングセルによって送信されたＲＲＣ制御情報を受信するステップであって、前記ＲＲＣ制御情報が前記特定のスケジューリング情報を搬送する、受信するステップか、又は前記第１サービングセルによって送信されたＰＤＣＣＨスケジューリング情報を受信するステップであって、前記ＰＤＣＣＨスケジューリング情報が前記特定のスケジューリング情報を搬送する、受信するステップか、又は前記第１サービングセルによって送信されたシステムブロードキャスト情報を受信するステップであって、前記システムブロードキャスト情報が前記特定のスケジューリング情報を搬送する、受信するステップを含む。
【００２５】
第２の態様の第１の可能な実施方法に関連して、本発明のこの実施例で提供される第２の可能な実施方法において、前記特定のスケジューリング情報は、前記第２サービングセルにおける伝送モードを更に搬送し、前記伝送モードは、Ｄ２Ｄディスカバリモード又はＤ２Ｄ通信モードである。
【００２６】
第２の態様の第２の可能な実施方法に関連して、本発明のこの実施例で提供される第３の可能な実施方法において、前記特定のスケジューリング情報に従って、前記第２サービングセルにおける前記利用可能なＤ２Ｄ伝送リソース上でデバイスツーデバイスＤ２Ｄデータを送信する前記ステップは、前記特定のスケジューリング情報において搬送された、前記第２サービングセルにおける前記伝送モードを使用することにより、前記第２サービングセルにおける前記利用可能なＤ２Ｄ伝送リソース上でデバイスツーデバイスＤ２Ｄデータを送信するステップを含む。
【００２７】
前述の可能な実施方法のいずれか１つに関連して、本発明のこの実施例で提供される第４の可能な実施方法において、前記第２サービングセルにおける前記利用可能なＤ２Ｄ伝送リソースは、動的サービスデータ伝送リソース、半静的サービスデータ伝送リソース、及びサービスデータ伝送リソースプールのうちの少なくとも１つを含む。
【００２８】
前述の可能な実施方法のいずれか１つに関連して、本発明のこの実施例で提供される第５の可能な実施方法において、前記特定のスケジューリング情報は、データ伝送に使用される変調及び符号化方式を更に含む。
【００２９】
第２の態様の第５の可能な実施方法に関連して、本発明のこの実施例で提供される第６の可能な実施方法において、前記第２サービングセルにおける前記利用可能なＤ２Ｄ伝送リソース上でＤ２Ｄデータを送信する前記ステップの前に、当該方法は、前記変調及び符号化方式を使用することにより、伝送されるべきサービスデータに対して変調及び符号化を実行して前記Ｄ２Ｄデータを獲得するステップを更に含む。
【００３０】
前述の可能な実施方法のいずれか１つに関連して、本発明のこの実施例で提供される第７の可能な実施方法において、前記第２サービングセルにおける伝送モードがＤ２Ｄ通信モードである場合に、前記第２サービングセルにおける前記利用可能なＤ２Ｄ伝送リソースは、利用可能なＳＡリソース、及び利用可能なサービスデータ伝送リソースのうちの少なくとも１つを含む。
【００３１】
第２の態様の第７の可能な実施方法に関連して、本発明のこの実施例で提供される第８の可能な実施方法において、前記利用可能なＳＡリソースは、動的ＳＡデータ伝送リソース、半静的ＳＡデータ伝送リソース、及びＳＡデータ伝送リソースプールのうちの少なくとも１つを含み、前記利用可能なサービスデータ伝送リソースは、動的サービスデータ伝送リソース、半静的サービスデータ伝送リソース、及びサービスデータ伝送リソースプールのうちの少なくとも１つを含む。
【００３２】
前述の可能な実施方法のいずれか１つに関連して、本発明のこの実施例で提供される第９の可能な実施方法において、前記第２サービングセルにおける伝送モードがＤ２Ｄ通信モードである場合に、前記Ｄ２Ｄデータは、ＳＡ情報、及びサービスデータのうちの少なくとも１つである。
【００３３】
第２の態様の第９の可能な実施方法に関連して、本発明のこの実施例で提供される第１０の可能な実施方法において、前記特定のスケジューリング情報に従って、前記第２サービングセルにおける前記利用可能なＤ２Ｄ伝送リソース上でＤ２Ｄデータを送信する前記ステップは、前記特定のスケジューリング情報が、前記第２サービングセル識別子、前記第１サービングセルにおける利用可能なサービスデータ伝送リソース、及び前記第２サービングセルにおける利用可能なＳＡリソースを搬送する場合に、前記第２サービングセルにおける前記利用可能なＳＡリソース上で前記ＳＡ情報を送信するとともに、前記第１サービングセルにおける前記利用可能なサービスデータ伝送リソース上で前記サービスデータを送信するステップを含み、前記ＳＡ情報は、前記第１サービングセルにおける前記利用可能なサービスデータ伝送リソース、並びに変調及び符号化方式を示すために使用される。
【００３４】
第２の態様の第９の可能な実施方法に関連して、本発明のこの実施例で提供される第１１の可能な実施方法において、前記特定のスケジューリング情報に従って、前記第２サービングセルにおける前記利用可能なＤ２Ｄ伝送リソース上でＤ２Ｄデータを送信する前記ステップは、前記特定のスケジューリング情報が、前記第２サービングセル識別子、前記第１サービングセルにおける利用可能なＳＡリソース、及び前記第２サービングセルにおける利用可能なサービスデータ伝送リソースを搬送する場合に、前記第１サービングセルにおける前記利用可能なＳＡリソース上で前記ＳＡ情報を送信するとともに、前記第２サービングセルにおける前記利用可能なサービスデータ伝送リソース上で前記サービスデータを送信するステップを含み、前記ＳＡ情報は、前記第２サービングセルにおける前記利用可能なサービスデータ伝送リソース、並びに変調及び符号化方式を示すために使用される。
【００３５】
第２の態様の第９の可能な実施方法に関連して、本発明のこの実施例で提供される第１２の可能な実施方法において、前記特定のスケジューリング情報に従って、前記第２サービングセルにおける前記利用可能なＤ２Ｄ伝送リソース上でＤ２Ｄデータを送信する前記ステップは、前記特定のスケジューリング情報が、前記第２サービングセル識別子、前記第２サービングセルにおける利用可能なＳＡリソース、及び前記第２サービングセルにおける利用可能なサービスデータ伝送リソースを搬送する場合に、前記第２サービングセルにおける前記利用可能なＳＡリソース上で前記ＳＡ情報を送信するとともに、前記第２サービングセルにおける前記利用可能なサービスデータ伝送リソース上で前記サービスデータを送信するステップを含み、前記ＳＡ情報は、前記第２サービングセルにおける前記利用可能なサービスデータ伝送リソース、並びに変調及び符号化方式を示すために使用される。
【００３６】
前述の可能な実施方法のいずれか１つに関連して、本発明のこの実施例で提供される第１３の可能な実施方法において、第１サービングセルによって送信された特定のスケジューリング情報を受信する前記ステップの前に、当該方法は、キャリアリストを前記第１サービングセルに送信するステップを更に含み、前記第１サービングセルが前記キャリアリストに従って前記第２サービングセルを取得するように、前記キャリアリストは、現在の端末が関心のあるキャリア情報を搬送し、前記キャリア情報は、周波数情報、又は周波数上のセルセット情報である。
【００３７】
第２の態様の第１３の可能な実施方法に関連して、本発明のこの実施例で提供される第１４の可能な実施方法において、前記キャリアリストは、前記周波数の信号測定報告、又はセルセットの信号測定報告を更に搬送する。
【００３８】
前述の可能な実施方法のいずれか１つに関連して、本発明のこの実施例で提供される第１５の可能な実施方法において、当該方法は、前記第２サービングセルにおける前記利用可能なＤ２Ｄ伝送リソースが動的伝送リソースである場合に、前記第１サービングセルとの接続状態を維持するステップか、又は前記第２サービングセルにおける前記利用可能なＤ２Ｄ伝送リソースが半静的伝送リソース又は伝送リソースプールである場合に、前記第１サービングセルとの接続状態を維持するステップか、又は前記第２サービングセルにおける前記利用可能なＤ２Ｄ伝送リソースが半静的伝送リソース又は伝送リソースプールである場合に、前記第１サービングセルとのアイドル状態を維持するステップか、又は前記第２サービングセルにおける前記利用可能なＤ２Ｄ伝送リソースが半静的伝送リソース又は伝送リソースプールである場合に、前記第２サービングセルとの接続状態を維持するステップか、又は前記第２サービングセルにおける前記利用可能なＤ２Ｄ伝送リソースが半静的伝送リソース又は伝送リソースプールである場合に、前記第２サービングセルとのアイドル状態を維持するステップを更に含む。
【００３９】
前述の可能な実施方法のいずれか１つに関連して、本発明のこの実施例で提供される第１６の可能な実施方法において、前記第１サービングセルは、前記第２サービングセル以外のプライマリサービングセル又はセカンダリサービングセルである。
【００４０】
第３の態様によれば、本発明の一実施例は、基地局であって、第２サービングセル識別子、及び第２サービングセルにおける利用可能なデバイスツーデバイスＤ２Ｄ伝送リソースに従って、特定のスケジューリング情報を生成するように構成された生成モジュールと、前記特定のスケジューリング情報を、第１サービングセルのカバレッジ内のユーザ装置に送信し、それにより前記ユーザ装置が前記特定のスケジューリング情報に従って前記第２サービングセルにおける前記利用可能なＤ２Ｄ伝送リソース上でデバイスツーデバイスＤ２Ｄデータを送信する、ように構成された送信モジュールとを含む、基地局を提供する。
【００４１】
第３の態様に関連して、本発明のこの実施例で提供される第１の可能な実施方法において、前記送信モジュールは、ＲＲＣ制御情報を前記ユーザ装置に送信するように構成され、前記ＲＲＣ制御情報は前記特定のスケジューリング情報を搬送するか、又は前記送信モジュールは、ＰＤＣＣＨスケジューリング情報を前記ユーザ装置に送信するように構成され、前記ＰＤＣＣＨスケジューリング情報は前記特定のスケジューリング情報を搬送するか、又は前記送信モジュールは、システムブロードキャスト情報を前記ユーザ装置に送信するように構成され、前記システムブロードキャスト情報は前記特定のスケジューリング情報を搬送する。
【００４２】
第３の態様の第１の可能な実施方法に関連して、第３の態様の第２の可能な実施方法において、前記特定のスケジューリング情報は、前記第２サービングセルにおける伝送モードを更に搬送し、前記伝送モードは、Ｄ２Ｄディスカバリモード又はＤ２Ｄ通信モードである。
【００４３】
前述の可能な実施方法のいずれか１つに関連して、第３の態様の第３の可能な実施方法において、前記第２サービングセルにおける前記利用可能なＤ２Ｄ伝送リソースは、動的サービスデータ伝送リソース、半静的サービスデータ伝送リソース、及びサービスデータ伝送リソースプールのうちの少なくとも１つを含む。
【００４４】
前述の可能な実施方法のいずれか１つに関連して、第３の態様の第４の可能な実施方法において、前記特定のスケジューリング情報は、データ伝送に使用される変調及び符号化方式を更に含む。
【００４５】
前述の可能な実施方法のいずれか１つに関連して、第３の態様の第５の可能な実施方法において、前記第２サービングセルにおける伝送モードがＤ２Ｄ通信モードである場合に、前記第２サービングセルにおける前記利用可能なＤ２Ｄ伝送リソースは、利用可能なＳＡリソース、及び利用可能なサービスデータ伝送リソースのうちの少なくとも１つを含む。
【００４６】
第３の態様の第５の可能な実施方法に関連して、第３の態様の第６の可能な実施方法において、前記利用可能なＳＡリソースは、動的ＳＡデータ伝送リソース、半静的ＳＡデータ伝送リソース、及びＳＡデータ伝送リソースプールのうちの少なくとも１つを含み、前記利用可能なサービスデータ伝送リソースは、動的サービスデータ伝送リソース、半静的サービスデータ伝送リソース、及びサービスデータ伝送リソースプールのうちの少なくとも１つを含む。
【００４７】
前述の可能な実施方法のいずれか１つに関連して、第３の態様の第７の可能な実施方法において、前記第２サービングセルにおける伝送モードがＤ２Ｄ通信モードである場合に、前記Ｄ２Ｄデータは、ＳＡ情報、及びサービスデータのうちの少なくとも１つである。
【００４８】
前述の可能な実施方法のいずれか１つに関連して、第３の態様の第８の可能な実施方法において、当該基地局は、前記ユーザ装置によって送信されたキャリアリストを受信するように構成された受信モジュールであって、前記キャリアリストが、現在の端末が関心のあるキャリア情報を搬送し、前記キャリア情報が、周波数情報、又は周波数上のセルセット情報である、受信モジュールと、前記キャリアリストに従って前記第２サービングセルを取得するように構成された取得モジュールとを更に含む。
【００４９】
第３の態様の第８の可能な実施方法に関連して、第３の態様の第９の可能な実施方法において、前記キャリアリストは、前記周波数の信号測定報告、又はセルセットの信号測定報告を更に搬送する。
【００５０】
前述の可能な実施方法のいずれか１つに関連して、第３の態様の第１０の可能な実施方法において、前記第１サービングセルは、前記第２サービングセル以外のプライマリサービングセル又はセカンダリサービングセルである。
【００５１】
第４の態様によれば、本発明の一実施例は、リソーススケジューリング方法であって、第２サービングセル識別子、及び第２サービングセルにおける利用可能なデバイスツーデバイスＤ２Ｄ伝送リソースに従って、特定のスケジューリング情報を生成するステップと、前記特定のスケジューリング情報を、第１サービングセルのカバレッジ内のユーザ装置に送信し、それにより前記ユーザ装置が前記特定のスケジューリング情報に従って前記第２サービングセルにおける前記利用可能なＤ２Ｄ伝送リソース上でデバイスツーデバイスＤ２Ｄデータを送信する、ステップとを含む、方法を提供する。
【００５２】
第４の態様に関連して、本発明のこの実施例で提供される第１の可能な実施方法において、前記特定のスケジューリング情報をユーザ装置に送信する前記ステップは、ＲＲＣ制御情報を前記ユーザ装置に送信するステップであって、前記ＲＲＣ制御情報が前記特定のスケジューリング情報を搬送する、送信するステップか、又はＰＤＣＣＨスケジューリング情報を前記ユーザ装置に送信するステップであって、前記ＰＤＣＣＨスケジューリング情報が前記特定のスケジューリング情報を搬送する、送信するステップか、又はシステムブロードキャスト情報を前記ユーザ装置に送信するステップであって、前記システムブロードキャスト情報が前記特定のスケジューリング情報を搬送する、送信するステップを含む。
【００５３】
第４の態様の第１の可能な実施方法に関連して、第４の態様の第２の可能な実施方法において、前記特定のスケジューリング情報は、前記第２サービングセルにおける伝送モードを更に搬送し、前記伝送モードは、Ｄ２Ｄディスカバリモード又はＤ２Ｄ通信モードである。
【００５４】
前述の可能な実施方法のいずれか１つに関連して、第４の態様の第３の可能な実施方法において、前記第２サービングセルにおける前記利用可能なＤ２Ｄ伝送リソースは、動的サービスデータ伝送リソース、半静的サービスデータ伝送リソース、及びサービスデータ伝送リソースプールのうちの少なくとも１つを含む。
【００５５】
前述の可能な実施方法のいずれか１つに関連して、第４の態様の第４の可能な実施方法において、前記特定のスケジューリング情報は、データ伝送に使用される変調及び符号化方式を更に含む。
【００５６】
前述の可能な実施方法のいずれか１つに関連して、第４の態様の第５の可能な実施方法において、前記第２サービングセルにおける伝送モードがＤ２Ｄ通信モードである場合に、前記第２サービングセルにおける前記利用可能なＤ２Ｄ伝送リソースは、利用可能なＳＡリソース、及び利用可能なサービスデータ伝送リソースのうちの少なくとも１つを含む。
【００５７】
第４の態様の第５の可能な実施方法に関連して、第４の態様の第６の可能な実施方法において、前記利用可能なＳＡリソースは、動的ＳＡデータ伝送リソース、半静的ＳＡデータ伝送リソース、及びＳＡデータ伝送リソースプールのうちの少なくとも１つを含み、前記利用可能なサービスデータ伝送リソースは、動的サービスデータ伝送リソース、半静的サービスデータ伝送リソース、及びサービスデータ伝送リソースプールのうちの少なくとも１つを含む。
【００５８】
前述の可能な実施方法のいずれか１つに関連して、第４の態様の第７の可能な実施方法において、前記第２サービングセルにおける伝送モードがＤ２Ｄ通信モードである場合に、前記Ｄ２Ｄデータは、ＳＡ情報、及びサービスデータのうちの少なくとも１つである。
【００５９】
前述の可能な実施方法のいずれか１つに関連して、第４の態様の第８の可能な実施方法において、第２サービングセル識別子、及び第２サービングセルにおける利用可能なデバイスツーデバイスＤ２Ｄ伝送リソースに従って、特定のスケジューリング情報を生成する前記ステップの前に、当該方法は、前記ユーザ装置によって送信されたキャリアリストを受信するステップであって、前記キャリアリストが、現在の端末が関心のあるキャリア情報を搬送し、前記キャリア情報が、周波数情報、又は周波数上のセルセット情報である、受信するステップと、前記キャリアリストに従って前記第２サービングセルを取得するステップとを更に含む。
【００６０】
第４の態様の第８の可能な実施方法に関連して、第４の態様の第９の可能な実施方法において、前記キャリアリストは、前記周波数の信号測定報告、又はセルセットの信号測定報告を更に搬送する。
【００６１】
前述の可能な実施方法のいずれか１つに関連して、第４の態様の第１０の可能な実施方法において、前記第１サービングセルは、前記第２サービングセル以外のプライマリサービングセル又はセカンダリサービングセルである。
【００６２】
第５の態様によれば、本発明の一実施例は、ユーザ装置であって、当該ユーザ装置が、送信機、受信機、メモリ、並びに前記送信機、前記受信機、及び前記メモリに別々に接続されたプロセッサを含み、一組のプログラムコードが前記メモリに記憶され、前記プロセッサが、前記メモリに記憶された前記プログラムコードを呼び出して、下記の、第１サービングセルによって送信された特定のスケジューリング情報を受信する動作であって、前記特定のスケジューリング情報が、少なくとも第２サービングセル識別子、及び第２サービングセルにおける利用可能なデバイスツーデバイスＤ２Ｄ伝送リソースを搬送する、受信する動作と、前記第２サービングセル識別子に基づいて、前記第２サービングセルとのセル同期を実行する動作と、前記特定のスケジューリング情報に従って、前記第２サービングセルにおける前記利用可能なＤ２Ｄ伝送リソース上でデバイスツーデバイスＤ２Ｄデータを送信する動作とを実行するように構成される、ユーザ装置を更に提供する。
【００６３】
第６の態様によれば、本発明の一実施例は、基地局であって、当該基地局が、送信機、受信機、メモリ、並びに前記送信機、前記受信機、及び前記メモリに別々に接続されたプロセッサを含み、一組のプログラムコードが前記メモリに記憶され、前記プロセッサが、前記メモリに記憶された前記プログラムコードを呼び出して、下記の、第２サービングセル識別子、及び第２サービングセルにおける利用可能なデバイスツーデバイスＤ２Ｄ伝送リソースに従って、特定のスケジューリング情報を生成する動作と、前記特定のスケジューリング情報を、第１サービングセルのカバレッジ内のユーザ装置に送信し、それにより前記ユーザ装置が前記特定のスケジューリング情報に従って前記第２サービングセルにおける前記利用可能なＤ２Ｄ伝送リソース上でデバイスツーデバイスＤ２Ｄデータを送信する、動作とを実行するように構成される、基地局を更に提供する。
【００６４】
本発明の実施例で提供される技術的解決策は、下記の有益な効果を有する。
【００６５】
第１サービングセルのカバレッジ内のユーザ装置は、第２サービングセルにおける利用可能なＤ２Ｄ伝送リソースを学習し、第２サービングセルによって提供される利用可能なＤ２Ｄ伝送リソース上でＤ２Ｄデータを送信し、それにより、第１サービングセルの負荷を効果的に低減することができる。
【００６６】
本発明の実施例における技術的解決法をより明確に説明するために、下記は、実施例を説明するために必要とされる添付図面を簡単に説明する。明らかに、下記の説明における添付図面は本発明の単にいくつかの実施例を表すとともに、当業者は、創造的な努力なしでこれらの添付図面から更に他の図面を導き出し得る。
【図面の簡単な説明】
【００６７】
【図１】本発明の一実施例による実装シナリオの概略図である。
【図２】本発明の一実施例によるデータ送信方法の概略フローチャートである。
【図３】本発明の一実施例によるデータ送信方法の概略フローチャートである。
【図４】本発明の一実施例によるデータ送信方法の概略フローチャートである。
【図５】本発明の一実施例によるデータ送信方法の概略フローチャートである。
【図６】本発明の一実施例によるデータ送信装置の概略構成図である。
【図７】本発明の一実施例による基地局の概略構成図である。
【図８】本発明の一実施例によるリソーススケジューリング方法のフローチャートである。
【図９】本発明の一実施例によるユーザ装置の概略構成図である。
【図１０】本発明の一実施例による基地局の概略構成図である。
【発明を実施するための形態】
【００６８】
本発明の目的、技術的解決法及び利点を、より明確にするために、下記は、添付図面を参照して、さらに本発明の実施例を詳細に説明する。
【００６９】
図１は、本発明の一実施例による実装シナリオの概略図である。図１を参照すると、実装シナリオは、ＵＥ（ユーザ装置、user  equipment）１０１、ＵＥ１０２、及び基地局１００を含む。基地局１００は、第１サービングセル及び第２サービングセルを含む。本発明のこの実施例において提供されるＵＥは、車載通信システム、車載ユーザ装置、又は、車両内のユーザによって保持されるスマートフォン若しくは他のハンドヘルド装置などのユーザ装置を指すことができる。第１サービングセルは、現在ＵＥ１０１にサービスしているセルであり、第２サービングセルは、第１サービングセルの隣接セル、又は第１サービングセル以外の基地局１００に属するセルであり、それは、本発明のこの実施例では限定されない。好ましくは、第１サービングセルは、第２サービングセル以外のプライマリサービングセルＰＣｅｌｌ又はセカンダリサービングセルＳＣｅｌｌである。
【００７０】
Ｄ２Ｄ伝送は、具体的には、異なる伝送モードに応じて、Ｄ２Ｄディスカバリモード（D2D  discovery  mode）とＤ２Ｄ通信モード（D2D  communication  mode）を含む。D2D  discoveryモードでは、ユーザ装置は、ユーザ装置がとどまっているサービングセル内の伝送リソース上で伝送を実行する必要がある。ユーザ装置がデータを送信する必要がある場合に、ユーザ装置は、基地局によるスケジューリングを用いて、又は競合によって、データ伝送リソースのブロックを獲得し、次に、そのリソースを使用することにより別のユーザ装置に直接Ｄ２Ｄデータを伝送する。D2D  communicationモードでは、ＳＡ＋ＤＡＴＡモードを使用することによりデータが送信される。ユーザ装置がデータＤＡＴＡを送信する必要がある場合に、ユーザ装置はまず、ひとまとまりのＳＡ情報を送信する。ここで、ＳＡ情報は、伝送リソースのブロックの時間−周波数位置、並びに対応する変調及び符号化方式を示す。ＳＡ情報を首尾よく受信して復号した後で、受信端として機能するユーザ装置は、ＳＡ情報により示される時間−周波数リソース位置における対応するサービスデータＤＡＴＡを受信し、ＳＡ情報により指定された変調及び符号化方式に従って復号を行う。
【００７１】
Ｄ２Ｄディスカバリモードにおいて、利用可能なＤ２Ｄ伝送リソースは、動的サービスデータ伝送リソース、半静的サービスデータ伝送リソース、及びサービスデータ伝送リソースプールのうちの少なくとも１つを含む、ことに注意するべきである。
【００７２】
しかしながら、Ｄ２Ｄ通信モードの場合に、利用可能なＤ２Ｄ伝送リソースは、利用可能なＳＡ（スケジューリング割り当て、scheduling  assignment）リソース、及び利用可能なサービスデータ伝送リソースのうちの少なくとも１つを含む。利用可能なＳＡリソースは、動的ＳＡデータ伝送リソース、半静的ＳＡデータ伝送リソース、及びＳＡデータ伝送リソースプールのうちの少なくとも１つを含む。利用可能なサービスデータ伝送リソースは、動的サービスデータ伝送リソース、半静的サービスデータ伝送リソース、及びサービスデータ伝送リソースプールのうちの少なくとも１つを含む。ＳＡ情報は、特定のデータ伝送リソースの時間−周波数位置、並びに変調及び符号化方式を示すために使用されるとともに、利用可能なサービスデータ伝送リソースは、サービスデータを送信するために使用される。
【００７３】
図２は、本発明の一実施例によるデータ送信方法の概略フローチャートである。図２を参照すると、この実施例は、ユーザ装置によって実行され、この実施例は、具体的には下記を含む。
【００７４】
２０１：第１サービングセルによって送信された特定のスケジューリング情報を受信し、ここで、特定のスケジューリング情報は、少なくとも第２サービングセル識別子、及び第２サービングセルにおける利用可能なデバイスツーデバイスＤ２Ｄ伝送リソースを搬送する。
【００７５】
ユーザ装置が第１サービングセル上にとどまる場合に、ユーザ装置は、例えば、ＲＲＣ（無線リソース制御、radio  resource  control）制御情報、ＰＤＣＣＨ（物理ダウンリンク制御チャネル、physical  downlink  control  channel）スケジューリング情報、又はシステムブロードキャスト情報を使用することによる方法で、第１サービングセルによって送信された特定のスケジューリング情報を受信することができ、それにより、第２サービングセルにおける利用可能なＤ２Ｄ伝送リソースを学習することができる。
【００７６】
第２サービングセルにおける利用可能なＤ２Ｄ伝送リソースは、第２サービングセルの現在のユーザアクセス状態又はサービス状態に従って第２サービングセルによって決定されるように割り当てられることができる伝送リソースであり得る、ことに注意するべきである。
【００７７】
第１サービングセルは、第１サービングセルの伝送リソースが不十分であると判定した場合に、第２サービングセルにおける利用可能なＤ２Ｄ伝送リソースに関する情報を取得することができ、それによりユーザ装置に情報を提供することができる。確かに、このプロセスは、現在のリソースが不十分であるという問題を解決することを目的とするだけでなく、リソース競合を回避するために、ユーザ装置に対してより多くのオプションを提供することを目的としている。
【００７８】
実際のシナリオでは、特定のスケジューリング情報が、少なくとも第２サービングセルにおける利用可能なデバイスツーデバイスＤ２Ｄ伝送リソースを搬送することは、
第２サービングセルにおける利用可能なＤ２Ｄ伝送リソースに関する情報を搬送することを指すことができ、ここで、利用可能なＤ２Ｄ伝送リソースに関する情報は、利用可能なＤ２Ｄ伝送リソースの時間−周波数位置であり得る、ことに注意するべきである。
【００７９】
任意に、図２において示される実施例に基づくと、“第１サービングセルによって送信された特定のスケジューリング情報を受信する”ステップ２０１は、下記のケース２０１Ａ〜２０１Ｃのうちのいずれかを含む。
【００８０】
２０１Ａ：第１サービングセルによって送信されたＲＲＣ制御情報を受信し、ここで、ＲＲＣ制御情報は、特定のスケジューリング情報を搬送する。
【００８１】
特定のスケジューリング情報は、ＲＲＣ制御情報で搬送され、ユーザ装置が第１サービングセルへのＲＲＣ接続を確立するプロセスで受信される。ＲＲＣ制御情報が受信される場合に、特定のスケジューリング情報は、ＲＲＣ制御情報内の指定されたビットにおいて搬送され得る。ユーザ装置がＲＲＣ制御情報を受信する場合に、ユーザ装置は、ＲＲＣ制御情報内の指定されたビットを解析して、特定のスケジューリング情報を取得することができる。
【００８２】
２０１Ｂ：第１サービングセルによって送信されたＰＤＣＣＨスケジューリング情報を受信し、ここで、ＰＤＣＣＨスケジューリング情報は、特定のスケジューリング情報を搬送する。
【００８３】
特定のスケジューリング情報は、ＰＤＣＣＨスケジューリング情報内の指定されたビットで搬送される。ユーザ装置がＰＤＣＣＨスケジューリング情報を受信する場合に、ユーザ装置は、ＰＤＣＣＨスケジューリング情報内の指定されたビットを解析して、特定のスケジューリング情報を取得することができる。
【００８４】
２０１Ｃ：第１サービングセルによって送信されたシステムブロードキャスト情報を受信し、ここで、システムブロードキャスト情報は、特定のスケジューリング情報を搬送する。
【００８５】
特定のスケジューリング情報は、システムブロードキャスト情報内の指定されたビットで搬送され得る。ユーザ装置がシステムブロードキャスト情報を受信する場合に、ユーザ装置は、システムブロードキャスト情報内の指定されたビットを解析して、特定のスケジューリング情報を取得することができる。
【００８６】
さらに、特定のスケジューリング情報は、第２サービングセルにおけるＤ２Ｄ伝送モードを更に搬送することができる。特定のスケジューリング情報を受信した後で、ユーザ装置は、特定のスケジューリング情報において搬送された伝送モードに従って、第２サービングセルにおける伝送モードを判定することができ、判定は、特定のスケジューリング情報内の指定されたビットを解析することによって実行され得る。例えば、特定のスケジューリング情報を解析して得られた伝送モードがD2D  discoveryモードである場合、第２サービングセルの伝送モードはD2D  discoveryモードであると判定され、D2D  discoveryモードが、その後のデータ伝送に使用される。
【００８７】
D2D  discoveryモードの場合に、特定のスケジューリング情報において搬送されるコンテンツは、第２サービングセル識別子、及び第２サービングセルにおける利用可能なＤ２Ｄ伝送リソースを含むことができる。利用可能なＤ２Ｄ伝送リソースは、Ｄ２Ｄデータを伝送するために使用され得る。
【００８８】
さらに、特定のスケジューリング情報は、変調及び符号化方式を更に搬送することができる。特定のスケジューリング情報を受信した後で、ユーザ装置は、特定のスケジューリング情報に従って、データ伝送に使用される変調及び符号化方式を更に決定する必要がある。D2D  discoveryモードでは、特定のスケジューリング情報は、データ伝送に使用される変調及び符号化方式を更に含むことができるとともに、ユーザ装置は、Ｄ２Ｄデータを取得するために、変調及び符号化方式を使用することにより、変調及び符号化を実行することができ、そして、特定のスケジューリング情報によって示されるデータ伝送リソース（プール）上でＤ２Ｄデータを送信することができる。
【００８９】
２０２：第２サービングセル識別子に基づいて、第２サービングセルとのセル同期を実行する。
【００９０】
同期は、ユーザ装置と第２サービングセルとの間の時間同期又は周波数同期などのプロセスのことを指すことができ、それは、本発明のこの実施例では特に限定されない。さらに、同期は、アップリンク同期又はダウンリンク同期を指すことができ、それは、本発明のこの実施例では限定されない。
【００９１】
２０３：特定のスケジューリング情報に従って、第２サービングセルにおける利用可能なＤ２Ｄ伝送リソース上でＤ２Ｄデータを送信する。
【００９２】
D2D  discoveryモードでは、Ｄ２Ｄデータは、サービスデータのようなＤ２Ｄ伝送に関与し得るデータのことを指すために使用される。例えば、サービスデータは、車両安全情報（vehicle  safety  information）を含むことができる。
【００９３】
別の実施例では、例えば、D2D  communicationモードにおいて、Ｄ２Ｄデータは、Ｄ２Ｄ伝送に関与し得るＳＡ情報及びサービスデータのうちの少なくとも１つのことを指すために使用され得る。
【００９４】
さらに、第２サービングセルにおける利用可能なＤ２Ｄ伝送リソースは、動的伝送リソース、半静的伝送リソース、又は伝送リソースプールである。したがって、第２サービングセルにおける利用可能なＤ２Ｄ伝送リソースが動的伝送リソースである場合に、ユーザ装置は、第１サービングセルとの接続状態を維持する。第２サービングセルにおける動的伝送リソースは、リソーススケジューリングに基づいて第１サービングセルによってスケジュールされてもよい。したがって、ユーザ装置が正常に制御シグナリングを受信して送信することを保証するために、ユーザ装置は、データ伝送を実行するときに、第１サービングセルとの接続状態を維持する。半静的伝送リソース又は伝送リソースプールが割り当てられる場合に、ユーザ装置は、第１サービングセルとの接続状態にあるか、又は第１サービングセルとのアイドル状態にあることができるとともに、ユーザ装置は、第２サービングセルとの接続状態にあるか、又は第２サービングセルとのアイドル状態にあることができる。具体的には、下記のようないくつかのケースがある。第２サービングセルにおける利用可能なＤ２Ｄ伝送リソースが半静的伝送リソース又は伝送リソースプールである場合に、ユーザ装置は第１サービングセルとの接続状態を維持する。第２サービングセルにおける利用可能なＤ２Ｄ伝送リソースが半静的伝送リソース又は伝送リソースプールである場合に、ユーザ装置は第１サービングセルとのアイドル状態を維持する。第２サービングセルにおける利用可能なＤ２Ｄ伝送リソースが半静的伝送リソース又は伝送リソースプールである場合に、ユーザ装置は第２サービングセルとの接続状態を維持する。第２サービングセルにおける利用可能なＤ２Ｄ伝送リソースが半静的伝送リソース又は伝送リソースプールである場合に、ユーザ装置は第２サービングセルとのアイドル状態を維持する。
【００９５】
本発明のこの実施例で提供される方法によって、第１サービングセルのカバレッジ内のユーザ装置は、第２サービングセルにおける利用可能なＤ２Ｄ伝送リソースを学習し、第２サービングセルによって提供される利用可能なＤ２Ｄ伝送リソース上でＤ２Ｄデータを送信し、それにより、第１サービングセルの負荷を効果的に低減することができる。
【００９６】
任意に、図２において提供される実施例に基づいて、“第１サービングセルによって送信された特定のスケジューリング情報を受信する”ステップ２０１の前に、方法は下記を更に含む。
【００９７】
ステップ２００：第１サービングセルにキャリアリストを送信し、ここで、第１サービングセルがキャリアリストに従って第２サービングセルを取得するように、キャリアリストは、現在の端末が関心のあるキャリア情報を搬送し、端末が関心のあるキャリア情報は、端末がＤ２Ｄ通信を実行しようとする周波数又はセルのセットに関する情報である。
【００９８】
第１サービングセルがキャリアリストに従って第２サービングセルを取得するように、ユーザ装置は、事前に第１サービングセルにキャリアリストを送信することができる。キャリアリストは、現在の端末が関心のあるキャリア情報を搬送し、キャリア情報は、周波数情報、又はセルセット情報である。ユーザ装置の場合に、Ｄ２Ｄ通信伝送に必要な周波数情報は、ユーザ装置上で予め設定されてもよい。したがって、ユーザ装置が周波数情報を第１サービングセルに送信する場合に、第１サービングセルは、前記第１サービングセルと同一の基地局に属する少なくとも１つの他のセルの周波数情報に従って、少なくとも１つの他のセルからの周波数情報に適合するセルを第２サービングセルとして選択してもよい。適合することは、セルの中心周波数が、周波数情報と同じか、又は周波数情報で指定された範囲内に含まれることなどを指し、それは、本発明のこの実施例では限定されない。ユーザ装置は、同様に、ユーザ装置が基地局のカバレッジエリアに入った場合に、基地局によって送信されたシステムブロードキャストを受信することができる。システムブロードキャストは、基地局におけるセル、及びセルの周波数情報を搬送することができ、ユーザ装置は、基地局におけるセルから、少なくとも１つのセルを選択して、セルセット情報を取得するとともに、セルセット情報を第１サービングセルに送信し、その結果、第１サービングセルは、セルセット情報に従って、ユーザ装置のための第２サービングセルを選択する。第２サービングセルを選択する場合に、第１サービングセルは、ユーザ装置によって送信された周波数情報に基づいて選択を実行し得るだけでなく、他のセルの正常なサービスに影響を与えることを回避するように、基地局における他のセルのユーザアクセス状態などを更に包括的に考慮し得る、ことに注意するべきである。確かに、第１サービングセルは、ユーザ装置のための複数の第２サービングセルを選択してもよく、特定のスケジューリング情報は、複数の第２サービングセルの利用可能なサービスデータ伝送リソースを搬送し、ユーザ装置は、サービス要求などの要因に従って、利用可能なサービスデータ伝送リソースから、任意の第２サービングセルの利用可能なＤ２Ｄ伝送リソースを選択し、利用可能なＤ２Ｄ伝送リソースを、後でデータを送信するための搬送波として使用する。
【００９９】
さらに、キャリアリストは、周波数の信号測定報告、又はセルセットの信号測定報告を更に搬送する。キャリアリストは、周波数の信号測定報告を更に搬送することができ、ユーザ装置は、ユーザ装置が関心のあるキャリア上で測定、例えばエネルギー測定を実行することができ、キャリアが現在アイドルであるかどうかを知るとともに、ユーザ装置が関心を持っているキャリアの特定の状態を第１サービングセルに積極的に通知し、その結果、第１サービングセルは、信号測定報告に従って第２サービングセルを設定することができる。確かに、ユーザ装置によって送信されたキャリアリストは、セルセットの信号測定報告を更に含むことができ、各セルの現在の通信状態を第１サービングセルに能動的に通知し、その結果、第１サービングセルは、信号測定報告に従って第２サービングセルを設定することができる。
【０１００】
Ｄ２Ｄ通信モードでは、データはＳＡ＋ＤＡＴＡモードを使用することにより送信されるため、各サービングセルにおける利用可能なＤ２Ｄ伝送リソースは、ＳＡリソース（プール）及びデータ伝送リソース（プール）を含む。したがって、リソーススケジューリングを行う場合に、利用可能なＳＡリソース、及び第２サービングセルにおける利用可能なサービスデータ伝送リソースのうちの少なくとも１つは、第１サービングセル内のユーザ装置に提供され得る。すなわち、第２サービングセルにおける利用可能なＤ２Ｄ伝送リソースは、利用可能なＳＡリソース、及び利用可能なサービスデータ伝送リソースのうちの少なくとも１つを含むことができ、その結果、ユーザ装置は、第２サービングセルにおけるリソース上で、ＳＡ情報、及びサービスデータのうちの少なくとも１つを送信することができる。前述の説明に基づくと、異なる実施方法があってもよく、それらは、下記でそれぞれ説明される。
【０１０１】
図３は、本発明の一実施例によるデータ送信方法の概略フローチャートである。図３を参照すると、本発明のこの実施例で説明されるユーザ装置は、図３におけるユーザ装置２であり、ユーザ装置１は、ユーザ装置２の通信相手先である。図３において提供される実施例では、ユーザ装置は、第２サービングセルにおける利用可能なＳＡリソース上でＳＡ情報を送信し、第１サービングセルにおける利用可能なサービスデータ伝送リソース上でサービスデータを送信する。具体的には、この実施例は下記のステップを含む。
【０１０２】
３０１：ユーザ装置が、第１サービングセルによって送信された特定のスケジューリング情報を受信し、ここで、特定のスケジューリング情報は、少なくとも第２サービングセル識別子と、第２サービングセルにおける利用可能なＳＡ伝送リソースとを搬送し、特定のスケジューリング情報は、第１サービングセルにおける利用可能なサービスデータ伝送リソースを更に搬送する。
【０１０３】
３０２：ユーザ装置が、第２サービングセル識別子に従って第２サービングセルとの同期を実行する。
【０１０４】
３０３：ユーザ装置が、第２サービングセルにおける利用可能なＳＡリソース上でＳＡ情報を送信し、ここで、ＳＡ情報は、第１サービングセルにおける利用可能なサービスデータ伝送リソース、並びに変調及び符号化方式を示すために使用される。
【０１０５】
３０４：ユーザ装置が、第１サービングセルにおける利用可能なサービスデータ伝送リソース上でサービスデータを送信する。
【０１０６】
本発明のこの実施例で提供される方法によって、第１サービングセルのカバレッジ内のユーザ装置は、第２サービングセルにおける利用可能なＳＡリソースを学習し、第２サービングセルによって提供される利用可能なＳＡリソース上でＳＡ情報を送信し、ここで、ＳＡ情報は、第１サービングセルにおける利用可能なサービスデータ伝送リソース、並びに変調及び符号化方式を示し、その結果、ユーザ装置は、第１サービングセルにおける利用可能なサービスデータ伝送リソース上でサービスデータを送信することができ、それにより、第１サービングセルの負荷を効果的に低減することができる。
【０１０７】
図４は、本発明の一実施例によるデータ送信方法の概略フローチャートである。図４を参照すると、本発明のこの実施例で説明されるユーザ装置は、図４におけるユーザ装置２であり、ユーザ装置１は、ユーザ装置２の通信相手先である。図４において提供される実施例では、ユーザ装置は、第１サービングセルにおける利用可能なＳＡリソース上でＳＡ情報を送信し、第２サービングセルにおける利用可能なサービスデータ伝送リソース上でサービスデータを送信する。具体的には、この実施例は下記のステップを含む。
【０１０８】
４０１：ユーザ装置が、第１サービングセルによって送信された特定のスケジューリング情報を受信し、ここで、特定のスケジューリング情報は、少なくとも第２サービングセル識別子と、第２サービングセルにおける利用可能なサービスデータ伝送リソースとを搬送し、特定のスケジューリング情報は、第１サービングセルにおける利用可能なＳＡリソースを更に搬送する。
【０１０９】
４０２：ユーザ装置が、第２サービングセル識別子に従って第２サービングセルとの同期を実行する。
【０１１０】
４０３：ユーザ装置が、第１サービングセルにおける利用可能なＳＡリソース上でＳＡ情報を送信し、ここで、ＳＡ情報は、第２サービングセルにおける利用可能なサービスデータ伝送リソース、並びに変調及び符号化方式を示すために使用される。
【０１１１】
４０４：ユーザ装置が、第２サービングセルにおける利用可能なサービスデータ伝送リソース上でサービスデータを送信する。
【０１１２】
本発明のこの実施例で提供される方法によって、第１サービングセルのカバレッジ内のユーザ装置は、第２サービングセルにおける利用可能なサービスデータ伝送リソースを学習し、第１サービングセルにおける利用可能なＳＡリソース上でＳＡ情報を送信し、ここで、ＳＡ情報は、第２サービングセルにおける利用可能なサービスデータ伝送リソース、並びに変調及び符号化方式を示し、その結果、ユーザ装置は、第２サービングセルにおける利用可能なサービスデータ伝送リソース上でサービスデータを送信することができ、それにより、第１サービングセルの負荷を効果的に低減することができる。
【０１１３】
図５は、本発明の一実施例によるデータ送信方法の概略フローチャートである。図５を参照すると、本発明のこの実施例で説明されるユーザ装置は、図５におけるユーザ装置２であり、ユーザ装置１は、ユーザ装置２の通信相手先である。図５において提供される実施例では、ユーザ装置は、第２サービングセルにおける利用可能なＳＡリソース上でＳＡ情報を送信し、第２サービングセルにおける利用可能なサービスデータ伝送リソース上でサービスデータを送信する。具体的には、この実施例は下記のステップを含む。
【０１１４】
５０１：ユーザ装置が、第１サービングセルによって送信された特定のスケジューリング情報を受信し、ここで、特定のスケジューリング情報は、少なくとも第２サービングセル識別子と、第２サービングセルにおける利用可能なサービスデータ伝送リソース及び利用可能なＳＡリソースとを搬送する。
【０１１５】
５０２：ユーザ装置が、第２サービングセル識別子に従って第２サービングセルとの同期を実行する。
【０１１６】
５０３：ユーザ装置が、第２サービングセルにおける利用可能なＳＡリソース上でＳＡ情報を送信し、ここで、ＳＡ情報は、第２サービングセルにおける利用可能なサービスデータ伝送リソース、並びに変調及び符号化方式を示すために使用される。
【０１１７】
５０４：ユーザ装置が、第２サービングセルにおける利用可能なサービスデータ伝送リソース上でサービスデータを送信する。
【０１１８】
本発明のこの実施例で提供される方法によって、第１サービングセルのカバレッジ内のユーザ装置は、第２サービングセルにおける利用可能なＳＡリソース及び利用可能なサービスデータ伝送リソースを学習し、第２サービングセルにおける利用可能なＳＡリソース上でＳＡ情報を送信し、ここで、ＳＡ情報は、第２サービングセルにおける利用可能なサービスデータ伝送リソース、並びに変調及び符号化方式を示し、その結果、ユーザ装置は、第２サービングセルにおける利用可能なサービスデータ伝送リソース上でサービスデータを送信することができ、それにより、第１サービングセルの負荷を効果的に低減することができる。
【０１１９】
図６は、本発明の一実施例によるデータ送信装置の概略構成図である。図６を参照すると、当該装置は、第１サービングセルによって送信された特定のスケジューリング情報を受信するように構成された受信モジュール６０１であって、特定のスケジューリング情報が、少なくとも第２サービングセル識別子、及び第２サービングセルにおける利用可能なデバイスツーデバイスＤ２Ｄ伝送リソースを搬送する、受信モジュール６０１と、第２サービングセル識別子に基づいて、第２サービングセルとのセル同期を実行するように構成された同期モジュール６０２と、特定のスケジューリング情報に従って、第２サービングセルにおける利用可能なＤ２Ｄ伝送リソース上でデバイスツーデバイスＤ２Ｄデータを送信するように構成された送信モジュール６０３とを含む。
【０１２０】
任意に、受信モジュール６０１は、第１サービングセルによって送信されたＲＲＣ制御情報を受信するように構成され、ここで、ＲＲＣ制御情報は特定のスケジューリング情報を搬送するか、又は受信モジュール６０１は、第１サービングセルによって送信されたＰＤＣＣＨスケジューリング情報を受信するように構成され、ここで、ＰＤＣＣＨスケジューリング情報は特定のスケジューリング情報を搬送するか、又は受信モジュール６０１は、第１サービングセルによって送信されたシステムブロードキャスト情報を受信するように構成され、ここで、システムブロードキャスト情報は特定のスケジューリング情報を搬送する。
【０１２１】
任意に、特定のスケジューリング情報は、第２サービングセルにおける伝送モードを更に搬送し、伝送モードは、Ｄ２Ｄディスカバリモード又はＤ２Ｄ通信モードである。
【０１２２】
任意に、送信モジュール６０３は、特定のスケジューリング情報において搬送された、第２サービングセルにおける伝送モードを使用することにより、第２サービングセルにおける利用可能なＤ２Ｄ伝送リソース上でデバイスツーデバイスＤ２Ｄデータを送信するように構成される。
【０１２３】
任意に、第２サービングセルにおける利用可能なＤ２Ｄ伝送リソースは、動的サービスデータ伝送リソース、半静的サービスデータ伝送リソース、及びサービスデータ伝送リソースプールのうちの少なくとも１つを含む。
【０１２４】
任意に、特定のスケジューリング情報は、データ伝送に使用される変調及び符号化方式を更に含む。
【０１２５】
任意に、当該装置は、変調及び符号化方式を使用することにより、伝送されるべきサービスデータに対して変調及び符号化を実行してＤ２Ｄデータを獲得するように構成された変調及び符号化モジュールを更に含む。
【０１２６】
任意に、第２サービングセルにおける伝送モードがＤ２Ｄ通信モードである場合に、第２サービングセルにおける利用可能なＤ２Ｄ伝送リソースは、利用可能なＳＡリソース、及び利用可能なサービスデータ伝送リソースのうちの少なくとも１つを含む。
【０１２７】
任意に、利用可能なＳＡリソースは、動的ＳＡデータ伝送リソース、半静的ＳＡデータ伝送リソース、及びＳＡデータ伝送リソースプールのうちの少なくとも１つを含み、利用可能なサービスデータ伝送リソースは、動的サービスデータ伝送リソース、半静的サービスデータ伝送リソース、及びサービスデータ伝送リソースプールのうちの少なくとも１つを含む。
【０１２８】
任意に、第２サービングセルにおける伝送モードがＤ２Ｄ通信モードである場合に、Ｄ２Ｄデータは、ＳＡ情報、及びサービスデータのうちの少なくとも１つである。
【０１２９】
任意に、送信モジュール６０３は、特定のスケジューリング情報が、第２サービングセル識別子、第１サービングセルにおける利用可能なサービスデータ伝送リソース、及び第２サービングセルにおける利用可能なＳＡリソースを搬送する場合に、第２サービングセルにおける利用可能なＳＡリソース上でＳＡ情報を送信するとともに、第１サービングセルにおける利用可能なサービスデータ伝送リソース上でサービスデータを送信するように構成され、ここで、ＳＡ情報は、第１サービングセルにおける利用可能なサービスデータ伝送リソース、並びに変調及び符号化方式を示すために使用される。
【０１３０】
任意に、送信モジュール６０３は、特定のスケジューリング情報が、第２サービングセル識別子、第１サービングセルにおける利用可能なＳＡリソース、及び第２サービングセルにおける利用可能なサービスデータ伝送リソースを搬送する場合に、第１サービングセルにおける利用可能なＳＡリソース上でＳＡ情報を送信するとともに、第２サービングセルにおける利用可能なサービスデータ伝送リソース上でサービスデータを送信するように構成され、ここで、ＳＡ情報は、第２サービングセルにおける利用可能なサービスデータ伝送リソース、並びに変調及び符号化方式を示すために使用される。
【０１３１】
任意に、送信モジュール６０３は、特定のスケジューリング情報が、第２サービングセル識別子、第２サービングセルにおける利用可能なＳＡリソース、及び第２サービングセルにおける利用可能なサービスデータ伝送リソースを搬送する場合に、第２サービングセルにおける利用可能なＳＡリソース上でＳＡ情報を送信するとともに、第２サービングセルにおける利用可能なサービスデータ伝送リソース上でサービスデータを送信するように構成され、ここで、ＳＡ情報は、第２サービングセルにおける利用可能なサービスデータ伝送リソース、並びに変調及び符号化方式を示すために使用される。
【０１３２】
任意に、送信モジュール６０３は、キャリアリストを第１サービングセルに送信するように更に構成され、ここで、第１サービングセルがキャリアリストに従って第２サービングセルを取得するように、キャリアリストは、現在の端末が関心のあるキャリア情報を搬送し、キャリア情報は、周波数情報、又は周波数上のセルセット情報である。
【０１３３】
任意に、キャリアリストは、周波数の信号測定報告、又はセルセットの信号測定報告を更に搬送する。
【０１３４】
任意に、当該装置は、接続処理モジュールを更に含み、接続処理モジュールは、第２サービングセルにおける利用可能なＤ２Ｄ伝送リソースが動的伝送リソースである場合に、第１サービングセルとの接続状態を維持するように構成されるか、又は接続処理モジュールは、第２サービングセルにおける利用可能なＤ２Ｄ伝送リソースが半静的伝送リソース又は伝送リソースプールである場合に、第１サービングセルとの接続状態を維持するように構成されるか、又は接続処理モジュールは、第２サービングセルにおける利用可能なＤ２Ｄ伝送リソースが半静的伝送リソース又は伝送リソースプールである場合に、第１サービングセルとのアイドル状態を維持するように構成されるか、又は接続処理モジュールは、第２サービングセルにおける利用可能なＤ２Ｄ伝送リソースが半静的伝送リソース又は伝送リソースプールである場合に、第２サービングセルとの接続状態を維持するように構成されるか、又は接続処理モジュールは、第２サービングセルにおける利用可能なＤ２Ｄ伝送リソースが半静的伝送リソース又は伝送リソースプールである場合に、第２サービングセルとのアイドル状態を維持するように構成される。
【０１３５】
任意に、第１サービングセルは、第２サービングセル以外のプライマリサービングセル又はセカンダリサービングセルである。
【０１３６】
図７は、本発明の一実施例による基地局の概略構成図である。図７を参照すると、基地局は、第２サービングセル識別子、及び第２サービングセルにおける利用可能なデバイスツーデバイスＤ２Ｄ伝送リソースに従って、特定のスケジューリング情報を生成するように構成された生成モジュール７０１と、特定のスケジューリング情報を、第１サービングセルのカバレッジ内のユーザ装置に送信し、それによりユーザ装置が特定のスケジューリング情報に従って第２サービングセルにおける利用可能なＤ２Ｄ伝送リソース上でデバイスツーデバイスＤ２Ｄデータを送信する、ように構成された送信モジュール７０２とを含む。
【０１３７】
任意に、送信モジュール７０２は、ＲＲＣ制御情報をユーザ装置に送信するように構成され、ここで、ＲＲＣ制御情報は特定のスケジューリング情報を搬送するか、又は送信モジュール７０２は、ＰＤＣＣＨスケジューリング情報をユーザ装置に送信するように構成され、ここで、ＰＤＣＣＨスケジューリング情報は特定のスケジューリング情報を搬送するか、又は送信モジュール７０２は、システムブロードキャスト情報をユーザ装置に送信するように構成され、ここで、システムブロードキャスト情報は特定のスケジューリング情報を搬送する。
【０１３８】
任意に、特定のスケジューリング情報は、第２サービングセルにおける伝送モードを更に搬送し、伝送モードは、Ｄ２Ｄディスカバリモード又はＤ２Ｄ通信モードである。
【０１３９】
任意に、第２サービングセルにおける利用可能なＤ２Ｄ伝送リソースは、動的サービスデータ伝送リソース、半静的サービスデータ伝送リソース、及びサービスデータ伝送リソースプールのうちの少なくとも１つを含む。
【０１４０】
任意に、特定のスケジューリング情報は、データ伝送に使用される変調及び符号化方式を更に含む。
【０１４１】
任意に、第２サービングセルにおける伝送モードがＤ２Ｄ通信モードである場合に、第２サービングセルにおける利用可能なＤ２Ｄ伝送リソースは、利用可能なＳＡリソース、及び利用可能なサービスデータ伝送リソースのうちの少なくとも１つを含む。
【０１４２】
任意に、利用可能なＳＡリソースは、動的ＳＡデータ伝送リソース、半静的ＳＡデータ伝送リソース、及びＳＡデータ伝送リソースプールのうちの少なくとも１つを含み、利用可能なサービスデータ伝送リソースは、動的サービスデータ伝送リソース、半静的サービスデータ伝送リソース、及びサービスデータ伝送リソースプールのうちの少なくとも１つを含む。
【０１４３】
任意に、第２サービングセルにおける伝送モードがＤ２Ｄ通信モードである場合に、Ｄ２Ｄデータは、ＳＡ情報、及びサービスデータのうちの少なくとも１つである。
【０１４４】
任意に、当該基地局は、ユーザ装置によって送信されたキャリアリストを受信するように構成された受信モジュールであって、キャリアリストが、現在の端末が関心のあるキャリア情報を搬送し、キャリア情報が、周波数情報、又は周波数上のセルセット情報である、受信モジュールと、キャリアリストに従って第２サービングセルを取得するように構成された取得モジュールとを更に含む。
【０１４５】
任意に、キャリアリストは、周波数の信号測定報告、又はセルセットの信号測定報告を更に搬送する。
【０１４６】
任意に、第１サービングセルは、第２サービングセル以外のプライマリサービングセル又はセカンダリサービングセルである。
【０１４７】
図８は、本発明の一実施例によるリソーススケジューリング方法のフローチャートである。リソーススケジューリング方法は、基地局に適用することができる。図８を参照すると、方法は、下記を含む。
【０１４８】
８０１：第２サービングセル識別子、及び第２サービングセルにおける利用可能なデバイスツーデバイスＤ２Ｄ伝送リソースに従って、特定のスケジューリング情報を生成する。
【０１４９】
８０２：特定のスケジューリング情報を、第１サービングセルのカバレッジ内のユーザ装置に送信し、それによりユーザ装置が特定のスケジューリング情報に従って第２サービングセルにおける利用可能なＤ２Ｄ伝送リソース上でデバイスツーデバイスＤ２Ｄデータを送信する。
【０１５０】
任意に、特定のスケジューリング情報をユーザ装置に送信するステップは、ＲＲＣ制御情報をユーザ装置に送信するステップであって、ＲＲＣ制御情報が特定のスケジューリング情報を搬送する、送信するステップか、又はＰＤＣＣＨスケジューリング情報をユーザ装置に送信するステップであって、ＰＤＣＣＨスケジューリング情報が特定のスケジューリング情報を搬送する、送信するステップか、又はシステムブロードキャスト情報をユーザ装置に送信するステップであって、システムブロードキャスト情報が特定のスケジューリング情報を搬送する、送信するステップを含む。
【０１５１】
任意に、特定のスケジューリング情報は、第２サービングセルにおける伝送モードを更に搬送し、伝送モードは、Ｄ２Ｄディスカバリモード又はＤ２Ｄ通信モードである。
【０１５２】
任意に、第２サービングセルにおける利用可能なＤ２Ｄ伝送リソースは、動的サービスデータ伝送リソース、半静的サービスデータ伝送リソース、及びサービスデータ伝送リソースプールのうちの少なくとも１つを含む。
【０１５３】
任意に、特定のスケジューリング情報は、データ伝送に使用される変調及び符号化方式を更に含む。
【０１５４】
任意に、第２サービングセルにおける伝送モードがＤ２Ｄ通信モードである場合に、第２サービングセルにおける利用可能なＤ２Ｄ伝送リソースは、利用可能なＳＡリソース、及び利用可能なサービスデータ伝送リソースのうちの少なくとも１つを含む。
【０１５５】
任意に、利用可能なＳＡリソースは、動的ＳＡデータ伝送リソース、半静的ＳＡデータ伝送リソース、及びＳＡデータ伝送リソースプールのうちの少なくとも１つを含み、利用可能なサービスデータ伝送リソースは、動的サービスデータ伝送リソース、半静的サービスデータ伝送リソース、及びサービスデータ伝送リソースプールのうちの少なくとも１つを含む。
【０１５６】
任意に、第２サービングセルにおける伝送モードがＤ２Ｄ通信モードである場合に、Ｄ２Ｄデータは、ＳＡ情報、及びサービスデータのうちの少なくとも１つである。
【０１５７】
任意に、第２サービングセル識別子、及び第２サービングセルにおける利用可能なデバイスツーデバイスＤ２Ｄ伝送リソースに従って、特定のスケジューリング情報を生成するステップの前に、当該方法は、ユーザ装置によって送信されたキャリアリストを受信するステップであって、キャリアリストが、現在の端末が関心のあるキャリア情報を搬送し、
キャリア情報が、周波数情報、又は周波数上のセルセット情報である、受信するステップと、キャリアリストに従って第２サービングセルを取得するステップとを更に含む。
【０１５８】
任意に、キャリアリストは、周波数の信号測定報告、又はセルセットの信号測定報告を更に搬送する。
【０１５９】
任意に、第１サービングセルは、第２サービングセル以外のプライマリサービングセル又はセカンダリサービングセルである。
【０１６０】
図９は、本発明の一実施例によるユーザ装置の概略構成図である。図９において示されるように、ユーザ装置は、送信機９０１、受信機９０２、メモリ９０３、並びに送信機９０１、受信機９０２、及びメモリ９０３に別々に接続されたプロセッサ９０４を含む。確かに、ユーザ装置は、アンテナ、ベースバンド処理コンポーネント、中間無線周波数処理コンポーネント、及び入出力装置などの、一般的なコンポーネントを更に含むことができ、それは、本発明のこの実施例ではどのようにも限定されない。
【０１６１】
一組のプログラムコードがメモリに記憶され、プロセッサ９０４は、メモリに記憶されたプログラムコードを呼び出して、下記の、第１サービングセルによって送信された特定のスケジューリング情報を受信する動作であって、特定のスケジューリング情報が、少なくとも第２サービングセル識別子、及び第２サービングセルにおける利用可能なデバイスツーデバイスＤ２Ｄ伝送リソースを搬送する、受信する動作と、第２サービングセル識別子に基づいて、第２サービングセルとのセル同期を実行する動作と、特定のスケジューリング情報に従って、第２サービングセルにおける利用可能なＤ２Ｄ伝送リソース上でデバイスツーデバイスＤ２Ｄデータを送信する動作とを実行するように構成される。
【０１６２】
さらに、プログラムコードは、前述のデータ送信方法における動作を実行するために、更に使用される。
【０１６３】
図１０は、本発明の一実施例による基地局の概略構成図である。図１０において示されるように、基地局は、送信機１００１、受信機１００２、メモリ１００３、並びに送信機１００１、受信機１００２、及びメモリ１００３に別々に接続されたプロセッサ１００４を含む。確かに、基地局は、アンテナ、ベースバンド処理コンポーネント、中間無線周波数処理コンポーネント、及び入出力装置などの、一般的なコンポーネントを更に含むことができ、それは、本発明のこの実施例ではどのようにも限定されない。
【０１６４】
一組のプログラムコードがメモリに記憶され、プロセッサ１００４は、メモリに記憶されたプログラムコードを呼び出して、下記の、第２サービングセル識別子、及び第２サービングセルにおける利用可能なデバイスツーデバイスＤ２Ｄ伝送リソースに従って、特定のスケジューリング情報を生成する動作と、特定のスケジューリング情報を、第１サービングセルのカバレッジ内のユーザ装置に送信し、それによりユーザ装置が特定のスケジューリング情報に従って第２サービングセルにおける利用可能なＤ２Ｄ伝送リソース上でデバイスツーデバイスＤ２Ｄデータを送信する、動作とを実行するように構成される。
【０１６５】
さらに、プログラムコードは、前述のリソーススケジューリング方法における動作を実行するために、更に使用される。
【０１６６】
当業者は、実施例のステップの全て若しくは一部が、ハードウェア、又は関連するハードウェアに指示するプログラムによって実施され得る、ということを理解することができる。プログラムはコンピュータ読み取り可能な記憶媒体に記憶され得る。記憶媒体は、読み出し専用メモリ、磁気ディスク、又は光ディスクを含むことができる。
【０１６７】
前述の説明は、単に本発明の代表的な実施例に過ぎず、本発明を限定することを意図していない。本発明の精神及び原理からはずれずに実行される、あらゆる修正、等価な置換、及び改善は、本発明の保護範囲に含まれるものとする。
【図１】
0006594998.tif 000002
【図２】
0006594998.tif 000003
【図３】
0006594998.tif 000004
【図４】
0006594998.tif 000005
【図５】
0006594998.tif 000006
【図６】
0006594998.tif 000007
【図７】
0006594998.tif 000008
【図８】
0006594998.tif 000009
【図９】
0006594998.tif 000010
【図１０】
0006594998.tif 000011